(57)【要約】【課題】脱穀装置の剛性を高めて、脱穀装置の右壁に加わる排気浄化装置の重量を軽減して、脱穀装置の右壁の変形を防止することができるコンバインを提供することにある。【解決手段】操縦部（５）の後部に設けられた左右方向に延在する操縦席フレーム（５０）と、脱穀装置（４）の右壁（４Ｂ）の上部に設けられた前後方向に延在する脱穀装置フレーム（６３）を、浄化装置フレーム（２０）で連結し、浄化装置フレーム（２０）の上面に、エンジンから排出される排気ガス中の不純物を浄化する排気浄化装置（１２）を固定する。【選択図】図４
2018029555.tif 000002
【特許請求の範囲】
【請求項１】
機体フレーム（１）の前側に穀稈を収穫する刈取前処理装置（３）を設け、該刈取前処理装置（３）の後側左部に収穫された穀稈を脱穀・選別処理する脱穀装置（４）を設け、前記刈取前処理装置（３）の後側右部に操縦者が搭乗する操縦部（５）を設け、該操縦部（５）の下側にエンジンを搭載するエンジンルーム（６）を設け、該エンジンルーム（６）の後側に脱穀・選別処理された穀粒を貯留するグレンタンク（７）を設けたコンバインにおいて、
前記操縦部（５）の後部に設けられた左右方向に延在する操縦席フレーム（５０）と、前記脱穀装置（４）の右壁（４Ｂ）の上部に設けられた前後方向に延在する脱穀装置フレーム（６３）を、浄化装置フレーム（２０）で連結し、
該浄化装置フレーム（２０）の上面に、前記エンジンから排出される排気ガス中の不純物を浄化する排気浄化装置（１２）を固定することを特徴とするコンバイン。
【請求項２】
前記排気浄化装置（１２）に近接させて排気ガス中の窒素酸化物を浄化する尿素浄化装置（１４）を並設した請求項１記載のコンバイン。
【請求項３】
前記浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、該左右フレーム（Ａ）を前側から順に第１左右フレーム（２１）と、第２左右フレーム（２２）と、第３左右フレーム（２３）で形成し、前記前後フレーム（Ｂ）を左側から順に第１前後フレーム（２４）と、第２前後フレーム（２５）で形成し、前記第１左右フレーム（２１）と、第２左右フレーム（２２）と、第３左右フレーム（２３）のそれぞれの左部を第１前後フレーム（２４）に連結し、前記第１左右フレーム（２１）の右部と第２左右フレーム（２２）の右側の中間部を第２前後フレーム（２５）に連結し、前記１左右フレーム（２１）と、第２左右フレーム（２２）と、第３左右フレーム（２３）と、前記第１前後フレーム（２４）と、第２前後フレーム（２５）のそれぞれの下部を略同一水平面に設けた請求項１又は２記載のコンバイン。
【請求項４】
前記第２左右フレーム（２２）の左部と第３左右フレーム（２３）の左部を前後方向に延在する第１補強フレーム（２６）で連結し、前記第２左右フレーム（２２）の右部と第３左右フレーム（２３）の右部を前後方向に延在する第２補強フレーム（２７）で連結した請求項３記載のコンバイン。
【請求項５】
前記グレンタンク（７）の左壁（７Ａ）における前記排気浄化装置（１２）に対向する部位に、前側と左側が開口された切欠き部（Ｓ）を設け、該切欠き部（Ｓ）を左側上部から右側下部に向かって延在する上側傾斜壁（３２）と、該上側傾斜壁（３２）の下端から下側に向かって延在する垂直壁（３３）と、該垂直壁（３３）の下端から左側下部に向かって延在する下側傾斜壁（３４）で形成し、正面視で前記垂直壁（３３）をグレンタンク（７）の搬送螺旋の上側に位置させた請求項１〜４のいずれか１項に記載のコンバイン。
【請求項６】
前記上側傾斜壁（３２）を前記機体フレーム（１）の上面に対して４５度傾斜して形成し、前記下側傾斜壁（３４）を前記機体フレーム（１）の上面に対して３０度傾斜して形成した請求項５記載のコンバイン。
【請求項７】
前記脱穀装置（４）の右壁（４Ｂ）の下部とグレンタンク（７）の左壁（７Ａ）の上部を穀粒を搬送する昇降装置（９）で連結し、側面視で該昇降装置（９）を後上がり傾斜姿勢に設けた請求項１〜６のいずれか１項に記載のコンバイン。
【請求項８】
前記グレンタンク（７）の左壁（７Ａ）における切欠き部（Ｓ）の上側に位置する部位に前記昇降装置（９）の排出部（４０）を連結した請求項７記載のコンバイン。
【発明の詳細な説明】
【技術分野】
【０００１】
本発明は、排気浄化装置を備えたコンバインに関するものである。
【背景技術】
【０００２】
従来のコンバインでは、脱穀装置の右壁上部の形成された傾斜部とグレンタンクの左壁に形成された切欠き部の間の空間に排気浄化装置を配置する技術が知られている。（特許文献１）
【先行技術文献】
【特許文献】
【０００３】
【特許文献１】特開２０１５―１２３０５１号公報
【発明の概要】
【発明が解決しようとする課題】
【０００４】
しかし、特許文献１の技術では、脱穀装置の右壁上部の形成された傾斜部に排気浄化装置を配置しているために、走行中の排気浄化装置の振動等により脱穀装置の右壁が変形するという問題があった。
【０００５】
そこで、本発明の主たる課題は、操縦部の後部に設けられた左右方向に延在する操縦席フレームと、脱穀装置の右壁に沿って前後方向に延在する脱穀装置フレームを排気浄化装置を上載する浄化フレームで連結することにより、脱穀装置の剛性を高めて、脱穀装置の右壁に加わる排気浄化装置の重量を軽減して、脱穀装置の右壁の変形を防止することができるコンバインを提供することにある。
【課題を解決するための手段】
【０００６】
上記課題を解決した本発明は次のとおりである。
すなわち、請求項１記載の発明は、機体フレーム（１）の前側に穀稈を収穫する刈取前処理装置（３）を設け、該刈取前処理装置（３）の後側左部に収穫された穀稈を脱穀・選別処理する脱穀装置（４）を設け、前記刈取前処理装置（３）の後側右部に操縦者が搭乗する操縦部（５）を設け、該操縦部（５）の下側にエンジンを搭載するエンジンルーム（６）を設け、該エンジンルーム（６）の後側に脱穀・選別処理された穀粒を貯留するグレンタンク（７）を設けたコンバインにおいて、
前記操縦部（５）の後部に設けられた左右方向に延在する操縦席フレーム（５０）と、前記脱穀装置（４）の右壁（４Ｂ）の上部に設けられた前後方向に延在する脱穀装置フレーム（６３）を、浄化装置フレーム（２０）で連結し、該浄化装置フレーム（２０）の上面に、前記エンジンから排出される排気ガス中の不純物を浄化する排気浄化装置（１２）を固定することを特徴とするコンバインである。
【０００７】
請求項２記載の発明は、前記排気浄化装置（１２）に近接させて排気ガス中の窒素酸化物を浄化する尿素浄化装置（１４）を並設した請求項１記載のコンバインである。
【０００８】
請求項３記載の発明は、前記浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、該左右フレーム（Ａ）を前側から順に第１左右フレーム（２１）と、第２左右フレーム（２２）と、第３左右フレーム（２３）で形成し、前記前後フレーム（Ｂ）を左側から順に第１前後フレーム（２４）と、第２前後フレーム（２５）で形成し、前記第１左右フレーム（２１）と、第２左右フレーム（２２）と、第３左右フレーム（２３）のそれぞれの左部を第１前後フレーム（２４）に連結し、前記第１左右フレーム（２１）の右部と第２左右フレーム（２２）の右側の中間部を第２前後フレーム（２５）に連結し、前記１左右フレーム（２１）と、第２左右フレーム（２２）と、第３左右フレーム（２３）と、前記第１前後フレーム（２４）と、第２前後フレーム（２５）のそれぞれの下部を略同一水平面に設けた請求項１又は２記載のコンバインである。
【０００９】
請求項４記載の発明は、前記第２左右フレーム（２２）の左部と第３左右フレーム（２３）の左部を前後方向に延在する第１補強フレーム（２６）で連結し、前記第２左右フレーム（２２）の右部と第３左右フレーム（２３）の右部を前後方向に延在する第２補強フレーム（２７）で連結した請求項３記載のコンバインである。
【００１０】
請求項５記載の発明は、前記グレンタンク（７）の左壁（７Ａ）における前記排気浄化装置（１２）に対向する部位に、前側と左側が開口された切欠き部（Ｓ）を設け、該切欠き部（Ｓ）を左側上部から右側下部に向かって延在する上側傾斜壁（３２）と、該上側傾斜壁（３２）の下端から下側に向かって延在する垂直壁（３３）と、該垂直壁（３３）の下端から左側下部に向かって延在する下側傾斜壁（３４）で形成し、正面視で前記垂直壁（３３）をグレンタンク（７）の搬送螺旋の上側に位置させた請求項１〜４のいずれか１項に記載のコンバインである。
【００１１】
請求項６記載の発明は、前記上側傾斜壁（３２）を前記機体フレーム（１）の上面に対して４５度傾斜して形成し、前記下側傾斜壁（３４）を前記機体フレーム（１）の上面に対して３０度傾斜して形成した請求項５記載のコンバインである。
【００１２】
請求項７記載の発明は、前記脱穀装置（４）の右壁（４Ｂ）の下部とグレンタンク（７）の左壁（７Ａ）の上部を穀粒を搬送する昇降装置（９）で連結し、側面視で該昇降装置（９）を後上がり傾斜姿勢に設けた請求項１〜６のいずれか１項に記載のコンバインである。
【００１３】
請求項８記載の発明は、前記グレンタンク（７）の左壁（７Ａ）における切欠き部（Ｓ）の上側に位置する部位に前記昇降装置（９）の排出部（４０）を連結した請求項７記載のコンバインである。
【発明の効果】
【００１４】
請求項１記載の発明によれば、操縦部（５）の後部に設けられた左右方向に延在する操縦席フレーム（５０）と、脱穀装置（４）の右壁（４Ｂ）の上部に設けられた前後方向に延在する脱穀装置フレーム（６３）を、浄化装置フレーム（２０）で連結し、浄化装置フレーム（２０）の上面に、エンジンから排出される排気ガス中の不純物を浄化する排気浄化装置（１２）を固定するので、脱穀装置（４）の右壁（４Ｂ）の剛性が高まり、また、排気浄化装置（１２）の重量が操縦席フレーム（５０）と脱穀装置フレーム（６３）に分散されるので脱穀装置（４）の右壁（４Ｂ）の変形を防止することができる。
【００１５】
請求項２記載の発明によれば、請求項１記載の発明による効果に加えて、排気浄化装置（１２）に近接させて排気ガス中の窒素酸化物を浄化する尿素浄化装置（１４）を並設したので、排気浄化装置（１７）と尿素浄化装置（１８）を接続する排気管の長さを短くすることができる。
【００１６】
請求項３記載の発明によれば、請求項１又は２記載の発明による効果に加えて、浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、左右フレーム（Ａ）を前側から順に第１左右フレーム（２１）と、第２左右フレーム（２２）と、第３左右フレーム（２３）で形成し、前後フレーム（Ｂ）を左側から順に第１前後フレーム（２４）と、第２前後フレーム（２５）で形成し、第１左右フレーム（２１）と、第２左右フレーム（２２）と、第３左右フレーム（２３）のそれぞれの左部を第１前後フレーム（２４）に連結し、第１左右フレーム（２１）の右部と第２左右フレーム（２２）の右側の中間部を第２前後フレーム（２５）に連結し、１左右フレーム（２１）と、第２左右フレーム（２２）と、第３左右フレーム（２３）と、第１前後フレーム（２４）と、第２前後フレーム（２５）のそれぞれの下部を略同一水平面に設けたので、エンジンルーム（６）に浄化装置フレーム（２０）の下部の延出を抑制して、エンジンルーム（６）内の配置空間を大きく形成することができる。
【００１７】
請求項４記載の発明によれば、請求項３項に記載の発明による効果に加えて、第２左右フレーム（２２）の左部と第３左右フレーム（２３）の左部を前後方向に延在する第１補強フレーム（２６）で連結し、第２左右フレーム（２２）の右部と第３左右フレーム（２３）の右部を前後方向に延在する第２補強フレーム（２７）で連結したので、浄化装置フレーム（２０）の変形を防止することができる。
【００１８】
請求項５記載の発明によれば、請求項１〜４のいずれか１項に記載の発明による効果に加えて、グレンタンク（７）の左壁（７Ａ）における排気浄化装置（１２）に対向する部位に、前側と左側が開口された切欠き部（Ｓ）を設け、切欠き部（Ｓ）を左側上部から右側下部に向かって延在する上側傾斜壁（３２）と、上側傾斜壁（３２）の下端から下側に向かって延在する垂直壁（３３）と、垂直壁（３３）の下端から左側下部に向かって延在する下側傾斜壁（３４）で形成し、正面視で垂直壁（３３）をグレンタンク（７）の搬送螺旋の上側に位置させたので、脱穀装置（４）とグレンタンク（７）の間に排気浄化装置（１７）を配置する大きな空間を形成することができる。
【００１９】
請求項６記載の発明によれば、請求項５記載の発明による効果に加えて、上側傾斜壁（３２）を機体フレーム（１）の上面に対して４５度傾斜して形成し、下側傾斜壁（３４）を機体フレーム（１）の上面に対して３０度傾斜して形成したので、グレンタンク（７）に搬送された穀粒をグレンタンク（７）の下部に設けられた搬送螺旋に効率良く落下させることができる。
【００２０】
請求項７記載の発明によれば、請求項１〜６のいずれか１項に記載の発明による効果に加えて、脱穀装置（４）の右壁（４Ｂ）の下部とグレンタンク（７）の左壁（７Ａ）の上部を穀粒を搬送する昇降装置（９）で連結し、側面視で昇降装置（９）を後上がり傾斜姿勢に設けたので、側面視で昇降装置（９）と切欠き部（Ｓ）が重複する面積を小さくして切欠き部（Ｓ）を効率良く利用することができる。
【００２１】
請求項８記載の発明によれば、請求項７記載の発明による効果に加えて、グレンタンク（７）の左壁（７Ａ）における切欠き部（Ｓ）の上側に位置する部位に昇降装置（９）の排出部（４０）を連結したので、グレンタンク（７）に搬送された穀粒をグレンタンク（７）の下部に設けられた搬送螺旋により効率良く落下させることができる。
【図面の簡単な説明】
【００２２】
【図１】コンバインの左側面図である。
【図２】コンバインの平面図である。
【図３】浄化フレームに固定された排気浄化装置と尿素浄化装置の正面図である。
【図４】浄化フレームに固定された排気浄化装置と尿素浄化装置を左側前部の上側から視た斜視図である。
【図５】浄化フレームに固定された排気浄化装置と尿素浄化装置を左側後部の上側から視た斜視図である。
【図６】浄化フレームの前側右部の上側から視た斜視図である。
【図７】脱穀装置とグレンタンクを連結する昇降装置の左側面図である。
【図８】グレンタンクの内側に延出した昇降装置の排出部の延出部を右側後部の上側から視た斜視図である。
【発明を実施するための形態】
【００２３】
本発明について図面を参照しつつ説明する。なお、操縦者から見て、前方を前側、後方を後側、右手側を右側、左手側を左側として便宜的に方向を示して説明する。
【００２４】
図１，２に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後側左部に収穫された穀稈を脱穀・選別処理する脱穀装置４が設けられ、刈取前処理装置３の後側右部に操縦者が搭乗する操縦部５が設けられている。
【００２５】
操縦部５の下側にエンジンを搭載するエンジンルーム６が設けられ、操縦部５の後側に脱穀・選別処理された穀粒を貯留するグレンタンク７が設けられ、グレンタンク７の後側に穀粒を外部に排出する排出筒８が設けられている。排出筒８は、グレンタンク７の後側下部に下部を連通して上下方向に延在する縦排出筒と、縦排出筒の上部に後部を連通して前後方向に延在する横排出筒から形成されている。また、脱穀装置４の下部とグレンタンク７の上部は、脱穀装置４からグレンタンク７に穀粒を搬送する昇降装置９によって連通されている。
【００２６】
刈取前処理装置３は、圃場の穀稈を起立させながら後側に搬送する搬送装置３Ａと、搬送装置３Ａの後側下部に搬送された穀稈の株元を切断する刈刃装置３Ｂと、搬送装置３Ａの後側に搬送された穀稈を左側に寄せ集めるオーガ装置３Ｃと、寄せ集められた穀稈を脱穀装置４に搬送するフィーダハウス３Ｄから構成されている。
【００２７】
図３〜５に示すように、脱穀装置４の扱胴の上側に設けられた扱胴カバー６０は、脱穀装置４の左壁４Ａの上部に設けられた前後方向に延在する支軸６１に回転自在に支持されている。これにより、扱胴カバー６０を支軸６１を中心に回動させて扱胴の上側に大きな空間を形成することにより扱胴等のメンテナンスを容易に行うことができる。
【００２８】
また、扱胴カバー６０の右側下部から右側に延在する延在部６２は、扱胴装置４の右壁４Ｂの上部に設けられた前後方向に延在する脱穀装置フレーム６３に着脱自在に固定されている。
【００２９】
操縦部５の後側下部には、操縦席を支持する左右方向に延在する操縦席フレーム５０が設けられている。操縦席フレーム５０の左部は、上下方向に延在する連結部材５１を介して、機体フレーム１の前側中間部に設けられた逆Ｕ字形状の左側フレーム５２に連結されている。また、操縦席フレーム５０の右部は、上下方向に延在する連結部材５３を介して、機体フレーム１の前側右部に設けられた逆Ｕ字形状の右側フレーム５４に連結されている。なお、右側フレーム５４の内周部には、エンジンルーム６の右側に設けられるラジエータ（図示省略）が設けられている。
【００３０】
エンジンルーム６に搭載されるエンジン（図示省略）の排気口には、エンジンで燃焼された排気ガスを外部に排気する排気管１０が接続されている。
【００３１】
排気管１０には、排気ガス中の不純物を浄化する排気浄化装置（ＤＰＦ）１２と排気浄化装置１２から排気される排気ガス中の窒素酸化物を浄化する尿素浄化装置（ＳＣＲ）１４が設けられている。なお、排気浄化装置１２は、上流側の酸化触媒（ＤＯＣ）と、下流側のパティキュレートフィルタ（ＤＰＦ）を内装している。
【００３２】
エンジンの排気口と排気浄化装置１２の吸気口は、可撓性の第１排気管１１で接続され、排気浄化装置１２の排気口と尿素浄化装置１４の吸気口は、可撓性の第２排気管１３で接続され、尿素浄化装置１４の排気口には可撓性の第３排気管１５が接続されている。
【００３３】
第３排気管１５は、尿素浄化装置１４の排気口から上側に延在し、左側に向かって略９０度屈曲して昇降装置９の前側を左側に延在し、後側に向かって略９０度屈曲して昇降装置９の左側に近接させて後側に延在させている。これにより、脱穀装置４の扱胴カバー６０を支軸６１を中心に容易に回動させることができる。
【００３４】
排気浄化装置１２と尿素浄化装置１４は、取付プレート１６を介して浄化装置フレーム２０に固定される。なお、正面視において、排気浄化装置１２は、取付プレート１６の左側に固定され、尿素浄化装置１４は、取付プレート１６の右側に尿素浄化装置１４に並列に固定されている。
【００３５】
図６に示すように、浄化装置フレーム２０は、左右方向に延在する第１左右フレーム２1と、第１左右フレーム２１の後側に設けられた左右方向に延在する第２左右フレーム２２と、第２左右フレーム２２の後側に設けられた左右方向に延在する第３左右フレーム２３と、前後方向に延在する第１前後フレーム２４と、第１前後フレーム２４の右側に設けられた前後方向に延在する第２前後フレーム２５から形成されている。なお、第１左右フレーム２1と、第２左右フレーム２２と、第３左右フレーム２３を総称して左右フレームＡと言い、第１前後フレーム２４と、第２前後フレーム２５を総称して前後フレームＢと言う。
【００３６】
第１左右フレーム２1の左部の後面と、第２左右フレーム２２の左部の左面と、第３左右フレーム２３の左部の左面は、それぞれ第１前後フレーム２４に連結されている。第１左右フレーム２1の右部の後面と、第２左右フレーム２２の右側中央部の前面は、それぞれ第２前後フレーム２５に連結されている。また、第１左右フレーム２1の下面と、第２左右フレーム２２の下面と、第３左右フレーム２３の下面と、第１前後フレーム２４の下面と、第２前後フレーム２５の下面は、上下方向において同一位置に設けられている。これにより、エンジンルーム６に延在する浄化装置フレーム２０の下部の延出を小さくして、エンジンルーム６に大きな空間を形成することができる。
【００３７】
第２左右フレーム２２の左部の後面と、第３左右フレーム２３の左部の前面は、前後方向に延在する第１補強フレーム２６に連結され、第２左右フレーム２２の右部の後面と、第３左右フレーム２３の右部の前面は、前後方向に延在する第２補強フレーム２７に連結されている。また、第２左右フレーム２２の下面と、第３左右フレーム２３の下面と、第１補強フレーム２６の下面と、第２補強フレーム２７の下面は、上下方向において同一位置に設けられている。これにより、浄化装置フレーム２０の変形を防止して、エンジンルーム６に延在する浄化装置フレーム２０の下部をより小さくして、エンジンルーム６により大きな空間を形成することができる。
【００３８】
第１補強フレーム２６の上面と第２補強フレーム２７の上面には、取付プレート１６の固定時に使用する開口部が形成されている。また、第２前後フレーム２５の延長線上に位置する第２左右フレーム２２の後面と第３左右フレーム２３の前面は、第３補強フレーム２８に連結するのが好ましい。これにより、浄化装置フレーム２０の変形をさらに防止することができる。
【００３９】
第１左右フレーム２１の前面には、浄化装置フレーム２０を操縦部５の操縦席を支持する操縦席フレーム５０の上面に連結する左右一対の前側ステー２１Ａが設けられている。第１前後フレーム２４の後部の左面には、浄化装置フレーム２０を脱穀装置４の脱穀装置フレーム６０の上面に連結する左側ステー２４Ａが設けられている。これにより、操縦席フレーム５０と脱穀装置フレーム６０に、浄化装置フレーム２０を強固に連結して固定することができる。左側ステー２４Ａの中心部の下面を上下方向に延在する連結部材５５を介して機体フレーム１に連結するのが好ましい。これにより、浄化装置フレーム２０の変形をさらに防止することができる。
【００４０】
図３〜５に示すように、浄化装置フレーム２０に固定された排気浄化装置１２と尿素浄化装置１４は、脱穀装置４の扱胴カバー６０と上下方向において略同一位置に設けられている。
【００４１】
尿素浄化装置１４に対向するグレンタンク７の左壁７Ａの前部には、前側と右側に開口部を有する切欠き部Ｓが形成されている。これにより、排気浄化装置１２と尿素浄化装置１４を左右方向に並設して脱穀装置４とグレンタンク７の間に設けることができる。
【００４２】
グレンタンク７の左壁７Ａの前部は、正面視において、上側垂直壁３１と、上側垂直壁３１の下端部から右側に下り傾斜する上側傾斜壁３２と、上側傾斜壁３２の下端部から下側に延在する中間垂直壁（請求項における「垂直壁」）３３と、中間垂直壁３３の下端部から左側に下り傾斜する下側傾斜壁３４と、下側傾斜壁３４の下端部から下側に延在する下側垂直壁３５で形成されている。また、切欠き部Ｓは、上側傾斜壁３２と、中間垂直壁３３と、下側傾斜壁３４で区画される空間である。
【００４３】
上側傾斜壁３２は、水平面に対して右側に向かって４５度の下り傾斜角度に形成され、中間垂直壁３３は、排出筒８に穀粒を搬送する前後方向に延在する搬送螺旋（図示省略）の上側に形成され、下側傾斜壁３４は、水平面に対して左側に向かって３０度の下り傾斜角度に形成されている。これにより、昇降装置９によってグレンタンク７に搬送された穀粒を効率良く搬送螺旋に落下させることができる。
【００４４】
図７に示すように、脱穀装置４の下部とグレンタンク７の上部を連通する昇降装置９は後上がり傾斜姿勢、すなわち、昇降装置９の下部よりも上部が後側に位置する姿勢で固定されている。これにより、側面視において、昇降装置９と切欠き部Ｓが重複する面積を小さくして切欠き部Ｓを効率良く利用でき、また、第３排気管１５を過度に屈曲することを防止することができる。なお、昇降装置９を垂直姿勢、前上がり傾斜、すなわち、昇降装置９の下部よりも上部が前側に位置する姿勢で固定することもできる。また、昇降装置９内部には、穀粒を搬送するバケット
【００４５】
昇降装置９の排出部４０は、上側垂直壁３１の下側に切欠き部Ｓが形成された前側の部位に連結されている。これにより、昇降装置９によってグレンタンク７に搬送された穀粒を効率良く搬送螺旋に落下させることができる。
【００４６】
図８に示すように、排出部４０には、グレンタンク７の右壁７Ａを超えてグレンタンク７の内側に延出した延出部４０Ａが形成されている。延出部４０Ａの略中心部には、左右方向に延在する回転軸４１が設けられている。回転軸４１には、回転方向に１８０度隔てて２枚の排出羽根４２が設けられている。また、排出羽根４２は、回転軸４１の軸心に対して所定の傾斜角度を持って、すなわち、排出羽根４２の左側部よりも右側部を回転軸４１の回転方向に対して時計方向に位置して固定している。これにより、排出羽根４２によって昇降装置９で搬送されてきた穀粒をグレンタンク７内に強制的に排出して、穀粒が排出部４０で詰まるのを防止することができる。
【００４７】
排出羽根４２の外周部には、カバー４３が設けられている。カバー４３は、上側板４４Ａと、前側板４４Ｂと、下側板４４Ｃで形成されている。なお、上側板４４の左右方向の幅は、排出羽根４２の幅と同一幅に形成され、前側板４４Ｂと下側板４４Ｃの左右方向の幅は、排出羽根４２の幅の半分の幅に形成されている。これにより、排出羽根４２によって昇降装置９で搬送されてきた穀粒をグレンタンク７の左右方向の中心に効率良く排出することができる。
【符号の説明】
【００４８】
１        機体フレーム
３        刈取前処理装置
４        脱穀装置
４Ｂ      右壁
５        操縦部
６        エンジンルーム
７        グレンタンク
７Ａ      左壁
９        昇降装置
１２      排気浄化装置
１４      尿素浄化装置
２０      浄化装置フレーム
２１      第１左右フレーム
２２      第２左右フレーム
２３      第３左右フレーム
２４      第１前後フレーム
２５      第２前後フレーム
２６      第１補強フレーム
２７      第２補強フレーム
３２      上側傾斜壁
３３      中間垂直壁（垂直壁）
３４      下側傾斜壁
４０      排出部
５０      操縦席フレーム
６３      脱穀装置フレーム
Ａ        左右フレーム
Ｂ        前後フレーム
Ｓ        切欠き部
【図１】
2018029555.tif 000003
【図２】
2018029555.tif 000004
【図３】
2018029555.tif 000005
【図４】
2018029555.tif 000006
【図５】
2018029555.tif 000007
【図６】
2018029555.tif 000008
【図７】
2018029555.tif 000009
【図８】
2018029555.tif 000010
【手続補正書】
【提出日】平成29年4月11日(2017.4.11)
【手続補正１】
【補正対象書類名】明細書
【補正対象項目名】全文
【補正方法】変更
【補正の内容】
【発明の詳細な説明】
【技術分野】
【０００１】
本発明は、排気浄化装置を備えたコンバインに関するものである。
【背景技術】
【０００２】
従来のコンバインでは、脱穀装置の右壁上部の形成された傾斜部とグレンタンクの左壁に形成された切欠き部の間の空間に排気浄化装置を配置する技術が知られている。（特許文献１）
【先行技術文献】
【特許文献】
【０００３】
【特許文献１】特開２０１５―１２３０５１号公報
【発明の概要】
【発明が解決しようとする課題】
【０００４】
しかし、特許文献１の技術では、脱穀装置の右壁上部の形成された傾斜部に排気浄化装置を配置しているために、走行中の排気浄化装置の振動等により脱穀装置の右壁が変形するという問題があった。
【０００５】
そこで、本発明の主たる課題は、操縦部の後部に設けられた左右方向に延在する操縦席フレームと、脱穀装置の右壁に沿って前後方向に延在する脱穀装置フレームを排気浄化装置を上載する浄化フレームで連結することにより、脱穀装置の剛性を高めて、脱穀装置の右壁に加わる排気浄化装置の重量を軽減して、脱穀装置の右壁の変形を防止することができるコンバインを提供することにある。
【課題を解決するための手段】
【０００６】
上記課題を解決した本発明は次のとおりである。
すなわち、請求項１記載の発明は、機体フレーム（１）の前側に穀稈を収穫する刈取前処理装置（３）を設け、該刈取前処理装置（３）の後側左部に収穫された穀稈を脱穀・選別処理する脱穀装置（４）を設け、前記刈取前処理装置（３）の後側右部に操縦者が搭乗する操縦部（５）を設け、該操縦部（５）の下側にエンジンを搭載するエンジンルーム（６）を設け、該エンジンルーム（６）の後側に脱穀・選別処理された穀粒を貯留するグレンタンク（７）を設けたコンバインにおいて、
前記操縦部（５）の後部に設けられた左右方向に延在する操縦席フレーム（５０）と、前記脱穀装置（４）の右壁（４Ｂ）の上部に設けられた前後方向に延在する脱穀装置フレーム（６３）を、浄化装置フレーム（２０）で連結し、該浄化装置フレーム（２０）の上面に、前記エンジンから排出される排気ガス中の不純物を浄化する排気浄化装置（１２）を固定し、前記排気浄化装置（１２）に近接させて排気ガス中の窒素酸化物を浄化する尿素浄化装置（１４）を並設し、前記グレンタンク（７）の左壁（７Ａ）における前記排気浄化装置（１２）に対向する部位に、前側と左側が開口された切欠き部（Ｓ）を設け、該切欠き部（Ｓ）を左側上部から右側下部に向かって延在する上側傾斜壁（３２）と、該上側傾斜壁（３２）の下端から下側に向かって延在する垂直壁（３３）と、該垂直壁（３３）の下端から左側下部に向かって延在する下側傾斜壁（３４）で形成し、正面視で前記垂直壁（３３）をグレンタンク（７）の搬送螺旋の上側に位置させ、前記脱穀装置（４）の右壁（４Ｂ）の下部とグレンタンク（７）の左壁（７Ａ）の上部を穀粒を搬送する昇降装置（９）で連結し、側面視で該昇降装置（９）を後上がり傾斜姿勢に設け、前記グレンタンク（７）の左壁（７Ａ）における切欠き部（Ｓ）の上側に位置する部位に前記昇降装置（９）の排出部（４０）を連結し、前記尿素浄化装置（１４）の排気口に接続された排気管（１５）を、該排気管（１５）を排気口から上側に延在させた後に、前記昇降装置（９）の前側を左側に延在させ、その後に前記昇降装置（９）の左側に近接させて後側に延在させ、前記脱穀装置（４）の扱胴カバー（６０）を、前記脱穀装置（４）の左壁（４Ａ）の上部に設けられた前後方向に延在する支軸（６１）に回転自在に支持し、前記排出部（４０）を、前記左壁（７Ａ）の切欠き部（Ｓ）の上側に位置する上側垂直壁（３１）に連結したことを特徴とするコンバインである。
【０００７】
【０００８】
請求項２記載の発明は、前記浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、該左右フレーム（Ａ）を前側から順に第１左右フレーム（２１）と、第２左右フレーム（２２）と、第３左右フレーム（２３）で形成し、前記前後フレーム（Ｂ）を左側から順に第１前後フレーム（２４）と、第２前後フレーム（２５）で形成し、前記第１左右フレーム（２１）と、第２左右フレーム（２２）と、第３左右フレーム（２３）のそれぞれの左部を第１前後フレーム（２４）に連結し、前記第１左右フレーム（２１）の右部と第２左右フレーム（２２）の右側の中間部を第２前後フレーム（２５）に連結し、前記１左右フレーム（２１）と、第２左右フレーム（２２）と、第３左右フレーム（２３）と、前記第１前後フレーム（２４）と、第２前後フレーム（２５）のそれぞれの下部を略同一水平面に設けた請求項１記載のコンバインである。
【０００９】
請求項３記載の発明は、前記第２左右フレーム（２２）の左部と第３左右フレーム（２３）の左部を前後方向に延在する第１補強フレーム（２６）で連結し、前記第２左右フレーム（２２）の右部と第３左右フレーム（２３）の右部を前後方向に延在する第２補強フレーム（２７）で連結した請求項２記載のコンバインである。
【００１０】
【００１１】
請求項４記載の発明は、前記上側傾斜壁（３２）を前記機体フレーム（１）の上面に対して４５度傾斜して形成し、前記下側傾斜壁（３４）を前記機体フレーム（１）の上面に対して３０度傾斜して形成した請求項１〜３のいずれか１項に記載のコンバインである。
【００１２】
【００１３】
【発明の効果】
【００１４】
請求項１記載の発明によれば、操縦部（５）の後部に設けられた左右方向に延在する操縦席フレーム（５０）と、脱穀装置（４）の右壁（４Ｂ）の上部に設けられた前後方向に延在する脱穀装置フレーム（６３）を、浄化装置フレーム（２０）で連結し、浄化装置フレーム（２０）の上面に、エンジンから排出される排気ガス中の不純物を浄化する排気浄化装置（１２）を固定し、排気浄化装置（１２）に近接させて排気ガス中の窒素酸化物を浄化する尿素浄化装置（１４）を並設し、グレンタンク（７）の左壁（７Ａ）における排気浄化装置（１２）に対向する部位に、前側と左側が開口された切欠き部（Ｓ）を設け、切欠き部（Ｓ）を左側上部から右側下部に向かって延在する上側傾斜壁（３２）と、上側傾斜壁（３２）の下端から下側に向かって延在する垂直壁（３３）と、垂直壁（３３）の下端から左側下部に向かって延在する下側傾斜壁（３４）で形成し、正面視で垂直壁（３３）をグレンタンク（７）の搬送螺旋の上側に位置させ、脱穀装置（４）の右壁（４Ｂ）の下部とグレンタンク（７）の左壁（７Ａ）の上部を穀粒を搬送する昇降装置（９）で連結し、側面視で昇降装置（９）を後上がり傾斜姿勢に設け、グレンタンク（７）の左壁（７Ａ）における切欠き部（Ｓ）の上側に位置する部位に昇降装置（９）の排出部（４０）を連結し、尿素浄化装置（１４）の排気口に接続された排気管（１５）を、排気管（１５）を排気口から上側に延在させた後に、昇降装置（９）の前側を左側に延在させ、その後に昇降装置（９）の左側に近接させて後側に延在させ、脱穀装置（４）の扱胴カバー（６０）を、脱穀装置（４）の左壁（４Ａ）の上部に設けられた前後方向に延在する支軸（６１）に回転自在に支持し、排出部（４０）を、左壁（７Ａ）の切欠き部（Ｓ）の上側に位置する上側垂直壁（３１）に連結したので、脱穀装置（４）の右壁（４Ｂ）の剛性が高まり、また、排気浄化装置（１２）の重量が操縦席フレーム（５０）と脱穀装置フレーム（６３）に分散されるので脱穀装置（４）の右壁（４Ｂ）の変形を防止することができる。
【００１５】
排気浄化装置（１７）と尿素浄化装置（１８）を接続する排気管の長さを短くすることができ、脱穀装置（４）とグレンタンク（７）の間に排気浄化装置（１７）を配置する大きな空間を形成することができる。また、側面視で昇降装置（９）と切欠き部（Ｓ）が重複する面積を小さくして切欠き部（Ｓ）を効率良く利用することができ、グレンタンク（７）に搬送された穀粒をグレンタンク（７）の下部に設けられた搬送螺旋により効率良く落下させることができる。
【００１６】
請求項２記載の発明によれば、請求項１記載の発明による効果に加えて、浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、左右フレーム（Ａ）を前側から順に第１左右フレーム（２１）と、第２左右フレーム（２２）と、第３左右フレーム（２３）で形成し、前後フレーム（Ｂ）を左側から順に第１前後フレーム（２４）と、第２前後フレーム（２５）で形成し、第１左右フレーム（２１）と、第２左右フレーム（２２）と、第３左右フレーム（２３）のそれぞれの左部を第１前後フレーム（２４）に連結し、第１左右フレーム（２１）の右部と第２左右フレーム（２２）の右側の中間部を第２前後フレーム（２５）に連結し、１左右フレーム（２１）と、第２左右フレーム（２２）と、第３左右フレーム（２３）と、第１前後フレーム（２４）と、第２前後フレーム（２５）のそれぞれの下部を略同一水平面に設けたので、エンジンルーム（６）に浄化装置フレーム（２０）の下部の延出を抑制して、エンジンルーム（６）内の配置空間を大きく形成することができる。
【００１７】
請求項３記載の発明によれば、請求項２項に記載の発明による効果に加えて、第２左右フレーム（２２）の左部と第３左右フレーム（２３）の左部を前後方向に延在する第１補強フレーム（２６）で連結し、第２左右フレーム（２２）の右部と第３左右フレーム（２３）の右部を前後方向に延在する第２補強フレーム（２７）で連結したので、浄化装置フレーム（２０）の変形を防止することができる。
【００１８】
【００１９】
請求項４記載の発明によれば、請求項１〜３のいずれか１項に記載の発明による効果に加えて、上側傾斜壁（３２）を機体フレーム（１）の上面に対して４５度傾斜して形成し、下側傾斜壁（３４）を機体フレーム（１）の上面に対して３０度傾斜して形成したので、グレンタンク（７）に搬送された穀粒をグレンタンク（７）の下部に設けられた搬送螺旋に効率良く落下させることができる。
【００２０】
【００２１】
【図面の簡単な説明】
【００２２】
【図１】コンバインの左側面図である。
【図２】コンバインの平面図である。
【図３】浄化フレームに固定された排気浄化装置と尿素浄化装置の正面図である。
【図４】浄化フレームに固定された排気浄化装置と尿素浄化装置を左側前部の上側から視た斜視図である。
【図５】浄化フレームに固定された排気浄化装置と尿素浄化装置を左側後部の上側から視た斜視図である。
【図６】浄化フレームの前側右部の上側から視た斜視図である。
【図７】脱穀装置とグレンタンクを連結する昇降装置の左側面図である。
【図８】グレンタンクの内側に延出した昇降装置の排出部の延出部を右側後部の上側から視た斜視図である。
【発明を実施するための形態】
【００２３】
本発明について図面を参照しつつ説明する。なお、操縦者から見て、前方を前側、後方を後側、右手側を右側、左手側を左側として便宜的に方向を示して説明する。
【００２４】
図１，２に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後側左部に収穫された穀稈を脱穀・選別処理する脱穀装置４が設けられ、刈取前処理装置３の後側右部に操縦者が搭乗する操縦部５が設けられている。
【００２５】
操縦部５の下側にエンジンを搭載するエンジンルーム６が設けられ、操縦部５の後側に脱穀・選別処理されたＭｈＡＳＤＣを貯留するグレンタンク７が設けられ、グレンタンク７の後側に穀粒を外部に排出する排出筒８が設けられている。排出筒８は、グレンタンク７の後側下部に下部を連通して上下方向に延在する縦排出筒と、縦排出筒の上部に後部を連通して前後方向に延在する横排出筒から形成されている。また、脱穀装置４の下部とグレンタンク７の上部は、脱穀装置４からグレンタンク７に穀粒を搬送する昇降装置９によって連通されている。
【００２６】
刈取前処理装置３は、圃場の穀稈を起立させながら後側に搬送する搬送装置３Ａと、搬送装置３Ａの後側下部に搬送された穀稈の株元を切断する刈刃装置３Ｂと、搬送装置３Ａの後側に搬送された穀稈を左側に寄せ集めるオーガ装置３Ｃと、寄せ集められた穀稈を脱穀装置４に搬送するフィーダハウス３Ｄから構成されている。
【００２７】
図３〜５に示すように、脱穀装置４の扱胴の上側に設けられた扱胴カバー６０は、脱穀装置４の左壁４Ａの上部に設けられた前後方向に延在する支軸６１に回転自在に支持されている。これにより、扱胴カバー６０を支軸６１を中心に回動させて扱胴の上側に大きな空間を形成することにより扱胴等のメンテナンスを容易に行うことができる。
【００２８】
また、扱胴カバー６０の右側下部から右側に延在する延在部６２は、扱胴装置４の右壁４Ｂの上部に設けられた前後方向に延在する脱穀装置フレーム６３に着脱自在に固定されている。
【００２９】
操縦部５の後側下部には、操縦席を支持する左右方向に延在する操縦席フレーム５０が設けられている。操縦席フレーム５０の左部は、上下方向に延在する連結部材５１を介して、機体フレーム１の前側中間部に設けられた逆Ｕ字形状の左側フレーム５２に連結されている。また、操縦席フレーム５０の右部は、上下方向に延在する連結部材５３を介して、機体フレーム１の前側右部に設けられた逆Ｕ字形状の右側フレーム５４に連結されている。なお、右側フレーム５４の内周部には、エンジンルーム６の右側に設けられるラジエータ（図示省略）が設けられている。
【００３０】
エンジンルーム６に搭載されるエンジン（図示省略）の排気口には、エンジンで燃焼された排気ガスを外部に排気する排気管１０が接続されている。
【００３１】
排気管１０には、排気ガス中の不純物を浄化する排気浄化装置（ＤＰＦ）１２と排気浄化装置１２から排気される排気ガス中の窒素酸化物を浄化する尿素浄化装置（ＳＣＲ）１４が設けられている。なお、排気浄化装置１２は、上流側の酸化触媒（ＤＯＣ）と、下流側のパティキュレートフィルタ（ＤＰＦ）を内装している。
【００３２】
エンジンの排気口と排気浄化装置１２の吸気口は、可撓性の第１排気管１１で接続され、排気浄化装置１２の排気口と尿素浄化装置１４の吸気口は、可撓性の第２排気管１３で接続され、尿素浄化装置１４の排気口には可撓性の第３排気管（請求項における「排気管」）１５が接続されている。
【００３３】
第３排気管１５は、尿素浄化装置１４の排気口から上側に延在し、左側に向かって略９０度屈曲して昇降装置９の前側を左側に延在し、後側に向かって略９０度屈曲して昇降装置９の左側に近接させて後側に延在させている。これにより、脱穀装置４の扱胴カバー６０を支軸６１を中心に容易に回動させることができる。
【００３４】
排気浄化装置１２と尿素浄化装置１４は、取付プレート１６を介して浄化装置フレーム２０に固定される。なお、正面視において、排気浄化装置１２は、取付プレート１６の左側に固定され、尿素浄化装置１４は、取付プレート１６の右側に尿素浄化装置１４に並列に固定されている。
【００３５】
図６に示すように、浄化装置フレーム２０は、左右方向に延在する第１左右フレーム２1と、第１左右フレーム２１の後側に設けられた左右方向に延在する第２左右フレーム２２と、第２左右フレーム２２の後側に設けられた左右方向に延在する第３左右フレーム２３と、前後方向に延在する第１前後フレーム２４と、第１前後フレーム２４の右側に設けられた前後方向に延在する第２前後フレーム２５から形成されている。なお、第１左右フレーム２1と、第２左右フレーム２２と、第３左右フレーム２３を総称して左右フレームＡと言い、第１前後フレーム２４と、第２前後フレーム２５を総称して前後フレームＢと言う。
【００３６】
第１左右フレーム２1の左部の後面と、第２左右フレーム２２の左部の左面と、第３左右フレーム２３の左部の左面は、それぞれ第１前後フレーム２４に連結されている。第１左右フレーム２1の右部の後面と、第２左右フレーム２２の右側中央部の前面は、それぞれ第２前後フレーム２５に連結されている。また、第１左右フレーム２1の下面と、第２左右フレーム２２の下面と、第３左右フレーム２３の下面と、第１前後フレーム２４の下面と、第２前後フレーム２５の下面は、上下方向において同一位置に設けられている。これにより、エンジンルーム６に延在する浄化装置フレーム２０の下部の延出を小さくして、エンジンルーム６に大きな空間を形成することができる。
【００３７】
第２左右フレーム２２の左部の後面と、第３左右フレーム２３の左部の前面は、前後方向に延在する第１補強フレーム２６に連結され、第２左右フレーム２２の右部の後面と、第３左右フレーム２３の右部の前面は、前後方向に延在する第２補強フレーム２７に連結されている。また、第２左右フレーム２２の下面と、第３左右フレーム２３の下面と、第１補強フレーム２６の下面と、第２補強フレーム２７の下面は、上下方向において同一位置に設けられている。これにより、浄化装置フレーム２０の変形を防止して、エンジンルーム６に延在する浄化装置フレーム２０の下部をより小さくして、エンジンルーム６により大きな空間を形成することができる。
【００３８】
第１補強フレーム２６の上面と第２補強フレーム２７の上面には、取付プレート１６の固定時に使用する開口部が形成されている。また、第２前後フレーム２５の延長線上に位置する第２左右フレーム２２の後面と第３左右フレーム２３の前面は、第３補強フレーム２８に連結するのが好ましい。これにより、浄化装置フレーム２０の変形をさらに防止することができる。
【００３９】
第１左右フレーム２１の前面には、浄化装置フレーム２０を操縦部５の操縦席を支持する操縦席フレーム５０の上面に連結する左右一対の前側ステー２１Ａが設けられている。第１前後フレーム２４の後部の左面には、浄化装置フレーム２０を脱穀装置４の脱穀装置フレーム６０の上面に連結する左側ステー２４Ａが設けられている。これにより、操縦席フレーム５０と脱穀装置フレーム６０に、浄化装置フレーム２０を強固に連結して固定することができる。左側ステー２４Ａの中心部の下面を上下方向に延在する連結部材５５を介して機体フレーム１に連結するのが好ましい。これにより、浄化装置フレーム２０の変形をさらに防止することができる。
【００４０】
図３〜５に示すように、浄化装置フレーム２０に固定された排気浄化装置１２と尿素浄化装置１４は、脱穀装置４の扱胴カバー６０と上下方向において略同一位置に設けられている。
【００４１】
尿素浄化装置１４に対向するグレンタンク７の左壁７Ａの前部には、前側と右側に開口部を有する切欠き部Ｓが形成されている。これにより、排気浄化装置１２と尿素浄化装置１４を左右方向に並設して脱穀装置４とグレンタンク７の間に設けることができる。
【００４２】
グレンタンク７の左壁７Ａの前部は、正面視において、上側垂直壁３１と、上側垂直壁３１の下端部から右側に下り傾斜する上側傾斜壁３２と、上側傾斜壁３２の下端部から下側に延在する中間垂直壁（請求項における「垂直壁」）３３と、中間垂直壁３３の下端部から左側に下り傾斜する下側傾斜壁３４と、下側傾斜壁３４の下端部から下側に延在する下側垂直壁３５で形成されている。また、切欠き部Ｓは、上側傾斜壁３２と、中間垂直壁３３と、下側傾斜壁３４で区画される空間である。
【００４３】
上側傾斜壁３２は、水平面に対して右側に向かって４５度の下り傾斜角度に形成され、中間垂直壁３３は、排出筒８に穀粒を搬送する前後方向に延在する搬送螺旋（図示省略）の上側に形成され、下側傾斜壁３４は、水平面に対して左側に向かって３０度の下り傾斜角度に形成されている。これにより、昇降装置９によってグレンタンク７に搬送された穀粒を効率良く搬送螺旋に落下させることができる。
【００４４】
図７に示すように、脱穀装置４の下部とグレンタンク７の上部を連通する昇降装置９は後上がり傾斜姿勢、すなわち、昇降装置９の下部よりも上部が後側に位置する姿勢で固定されている。これにより、側面視において、昇降装置９と切欠き部Ｓが重複する面積を小さくして切欠き部Ｓを効率良く利用でき、また、第３排気管１５を過度に屈曲することを防止することができる。なお、昇降装置９を垂直姿勢、前上がり傾斜、すなわち、昇降装置９の下部よりも上部が前側に位置する姿勢で固定することもできる。また、昇降装置９内部には、穀粒を搬送するバケット
【００４５】
昇降装置９の排出部４０は、上側垂直壁３１の下側に切欠き部Ｓが形成された前側の部位に連結されている。これにより、昇降装置９によってグレンタンク７に搬送された穀粒を効率良く搬送螺旋に落下させることができる。
【００４６】
図８に示すように、排出部４０には、グレンタンク７の右壁７Ａを超えてグレンタンク７の内側に延出した延出部４０Ａが形成されている。延出部４０Ａの略中心部には、左右方向に延在する回転軸４１が設けられている。回転軸４１には、回転方向に１８０度隔てて２枚の排出羽根４２が設けられている。また、排出羽根４２は、回転軸４１の軸心に対して所定の傾斜角度を持って、すなわち、排出羽根４２の左側部よりも右側部を回転軸４１の回転方向に対して時計方向に位置して固定している。これにより、排出羽根４２によって昇降装置９で搬送されてきた穀粒をグレンタンク７内に強制的に排出して、穀粒が排出部４０で詰まるのを防止することができる。
【００４７】
排出羽根４２の外周部には、カバー４３が設けられている。カバー４３は、上側板４４Ａと、前側板４４Ｂと、下側板４４Ｃで形成されている。なお、上側板４４の左右方向の幅は、排出羽根４２の幅と同一幅に形成され、前側板４４Ｂと下側板４４Ｃの左右方向の幅は、排出羽根４２の幅の半分の幅に形成されている。これにより、排出羽根４２によって昇降装置９で搬送されてきた穀粒をグレンタンク７の左右方向の中心に効率良く排出することができる。
【符号の説明】
【００４８】
１        機体フレーム
３        刈取前処理装置
４        脱穀装置
４Ａ      左壁
４Ｂ      右壁
５        操縦部
６        エンジンルーム
７        グレンタンク
７Ａ      左壁
９        昇降装置
１２      排気浄化装置
１４      尿素浄化装置
１５      第３排気管（排気管）
２０      浄化装置フレーム
２１      第１左右フレーム
２２      第２左右フレーム
２３      第３左右フレーム
２４      第１前後フレーム
２５      第２前後フレーム
２６      第１補強フレーム
２７      第２補強フレーム
３１      上側垂直壁
３２      上側傾斜壁
３３      中間垂直壁（垂直壁）
３４      下側傾斜壁
４０      排出部
５０      操縦席フレーム
６０      扱胴カバー
６１      支軸
６３      脱穀装置フレーム
Ａ        左右フレーム
Ｂ        前後フレーム
Ｓ        切欠き部
【手続補正２】
【補正対象書類名】特許請求の範囲
【補正対象項目名】全文
【補正方法】変更
【補正の内容】
【特許請求の範囲】
【請求項１】
機体フレーム（１）の前側に穀稈を収穫する刈取前処理装置（３）を設け、該刈取前処理装置（３）の後側左部に収穫された穀稈を脱穀・選別処理する脱穀装置（４）を設け、前記刈取前処理装置（３）の後側右部に操縦者が搭乗する操縦部（５）を設け、該操縦部（５）の下側にエンジンを搭載するエンジンルーム（６）を設け、該エンジンルーム（６）の後側に脱穀・選別処理された穀粒を貯留するグレンタンク（７）を設けたコンバインにおいて、
前記操縦部（５）の後部に設けられた左右方向に延在する操縦席フレーム（５０）と、前記脱穀装置（４）の右壁（４Ｂ）の上部に設けられた前後方向に延在する脱穀装置フレーム（６３）を、浄化装置フレーム（２０）で連結し、
該浄化装置フレーム（２０）の上面に、前記エンジンから排出される排気ガス中の不純物を浄化する排気浄化装置（１２）を固定し、
前記排気浄化装置（１２）に近接させて排気ガス中の窒素酸化物を浄化する尿素浄化装置（１４）を並設し、
前記グレンタンク（７）の左壁（７Ａ）における前記排気浄化装置（１２）に対向する部位に、前側と左側が開口された切欠き部（Ｓ）を設け、該切欠き部（Ｓ）を左側上部から右側下部に向かって延在する上側傾斜壁（３２）と、該上側傾斜壁（３２）の下端から下側に向かって延在する垂直壁（３３）と、該垂直壁（３３）の下端から左側下部に向かって延在する下側傾斜壁（３４）で形成し、正面視で前記垂直壁（３３）をグレンタンク（７）の搬送螺旋の上側に位置させ、
前記脱穀装置（４）の右壁（４Ｂ）の下部とグレンタンク（７）の左壁（７Ａ）の上部を穀粒を搬送する昇降装置（９）で連結し、側面視で該昇降装置（９）を後上がり傾斜姿勢に設け、
前記グレンタンク（７）の左壁（７Ａ）における切欠き部（Ｓ）の上側に位置する部位に前記昇降装置（９）の排出部（４０）を連結し、
前記尿素浄化装置（１４）の排気口に接続された排気管（１５）を、該排気管（１５）を排気口から上側に延在させた後に、前記昇降装置（９）の前側を左側に延在させ、その後に前記昇降装置（９）の左側に近接させて後側に延在させ、
前記脱穀装置（４）の扱胴カバー（６０）を、前記脱穀装置（４）の左壁（４Ａ）の上部に設けられた前後方向に延在する支軸（６１）に回転自在に支持し、
前記排出部（４０）を、前記左壁（７Ａ）の切欠き部（Ｓ）の上側に位置する上側垂直壁（３１）に連結したことを特徴とするコンバイン。
【請求項２】
前記浄化装置フレーム（２０）を前後方向に所定の間隔を隔てて左右方向に延在する左右フレーム（Ａ）と、左右方向に所定の間隔を隔てて前後方向に延在する前後フレーム（Ｂ）で形成し、該左右フレーム（Ａ）を前側から順に第１左右フレーム（２１）と、第２左右フレーム（２２）と、第３左右フレーム（２３）で形成し、前記前後フレーム（Ｂ）を左側から順に第１前後フレーム（２４）と、第２前後フレーム（２５）で形成し、前記第１左右フレーム（２１）と、第２左右フレーム（２２）と、第３左右フレーム（２３）のそれぞれの左部を第１前後フレーム（２４）に連結し、前記第１左右フレーム（２１）の右部と第２左右フレーム（２２）の右側の中間部を第２前後フレーム（２５）に連結し、前記１左右フレーム（２１）と、第２左右フレーム（２２）と、第３左右フレーム（２３）と、前記第１前後フレーム（２４）と、第２前後フレーム（２５）のそれぞれの下部を略同一水平面に設けた請求項１記載のコンバイン。
【請求項３】
前記第２左右フレーム（２２）の左部と第３左右フレーム（２３）の左部を前後方向に延在する第１補強フレーム（２６）で連結し、前記第２左右フレーム（２２）の右部と第３左右フレーム（２３）の右部を前後方向に延在する第２補強フレーム（２７）で連結した請求項２記載のコンバイン。
【請求項４】
前記上側傾斜壁（３２）を前記機体フレーム（１）の上面に対して４５度傾斜して形成し、前記下側傾斜壁（３４）を前記機体フレーム（１）の上面に対して３０度傾斜して形成した請求項１〜３のいずれか１項に記載のコンバイン。